(57)【要約】【課題】傘から容易に脱落することを防止することができる傘付属品を提供する。【解決手段】傘に取り付けられる傘付属品において、前記傘に固定する固定部を備えることを特徴とする傘付属品。固定部は、傘の一部を挿入する挿入孔若しくは挿入凹部又は傘の一部を狭持する狭持部を備えることができる。固定部によって、露先を取り外すことなく、傘付属品を傘に固定する。そのため、傘付属品を傘に容易に固定させることができ、また傘付属品は傘から容易に脱落しない。【選択図】図１
2017109086.tif 000002
【特許請求の範囲】
【請求項１】
傘に取り付けられる傘付属品において、
前記傘に固定する固定部を備えること
を特徴とする傘付属品。
【請求項２】
前記固定部は、前記傘の一部を挿入する挿入孔又は挿入凹部を有しており、
前記挿入孔は、
前記傘の一部を挿入する第１開口と、
該第１開口に対向し、前記第１開口よりも小径の第２開口と
を有し、
前記挿入凹部の底部分の直径は、前記挿入凹部の開口の直径よりも小さいこと
を特徴とする請求項１に記載の傘付属品。
【請求項３】
前記挿入孔又は挿入凹部は錐台状をなすことを特徴とする請求項２に記載の傘付属品。
【請求項４】
前記固定部は、軸方向に貫通した前記挿入孔を有する筒状の可撓性部材によって構成されており、
前記固定部には、軸方向に延びた複数のスリットが周方向に並設されていること
を特徴とする請求項２又は３に記載の傘付属品。
【請求項５】
前記固定部は、前記傘の一部を狭持する狭持部を備えること
を特徴とする請求項１に記載の傘付属品。
【請求項６】
前記狭持部は磁石を含むこと
を特徴とする請求項５に記載の傘付属品。
【請求項７】
前記固定部に光源ユニットが取り付けられており、
前記光源ユニットは、
透光性を有する筐体と、
該筐体に収容された光源と、
該光源を点灯又は消灯させるスイッチと
を有すること
を特徴とする請求項１から６のいずれか一つに記載の傘付属品。
【請求項８】
前記固定部は、
透光性を有する環状の筐体と、
該筐体内に収容された光源と、
該光源を点灯又は消灯させるスイッチと
を備えることを特徴とする請求項１に記載の傘付属品。
【発明の詳細な説明】
【技術分野】
【０００１】
本技術は、傘に取り付ける傘付属品に関する。
【背景技術】
【０００２】
従来、傘の個別化を図るために、傘の露先に取り付ける傘アクセサリー体が提案されている（特許文献１参照）。傘アクセサリー体は、可撓性を有するチューブと、該チューブ及び装飾具を連結するリング体とを備える。リング体はチューブに挿入されており、リング体の一部がチューブに覆われている。ユーザは、傘の露先を取り外して、傘の親骨の先端部を露出させ、チューブに親骨の先端部を挿入し、チューブを貫通した親骨の先端部に再度露先を取り付けて、傘アクセサリー体を傘に固定する。
【先行技術文献】
【特許文献】
【０００３】
【特許文献１】実用新案登録第３１９９０６４号公報
【発明の概要】
【発明が解決しようとする課題】
【０００４】
しかし、露先を取り外した後、再度、露先を親骨に取り付けるので、露先は親骨から外れ易くなり、傘アクセサリー体は傘から容易に脱落するおそれがある。
【０００５】
本実施例は斯かる事情に鑑みてなされたものであり、傘から容易に脱落することを防止することができる傘付属品を提供することを目的とする。
【課題を解決するための手段】
【０００６】
本実施例に係る傘付属品は、傘に取り付けられる傘付属品において、前記傘に固定する固定部を備えることを特徴とする。
【０００７】
本実施例においては、固定部によって、露先を取り外すことなく、傘付属品を傘に固定する。
【０００８】
本実施例に係る傘付属品は、前記固定部は、前記傘の一部を挿入する挿入孔又は挿入凹部を有しており、前記挿入孔は、前記傘の一部を挿入する第１開口と、該第１開口に対向し、前記第１開口よりも小径の第２開口とを有し、前記挿入凹部の底部分の直径は、前記挿入凹部の開口の直径よりも小さいことを特徴とする。
【０００９】
本実施例においては、固定部が挿入孔を有する場合、挿入孔の第１開口に傘の一部、例えば露先を挿入し、第２開口にて露先を係止させる。また固定部が挿入凹部を有する場合、挿入凹部の開口に露先を挿入し、底部分にて露先を係止させる。
【００１０】
本実施例に係る傘付属品は、前記挿入孔又は挿入凹部は錐台状をなすことを特徴とする。
【００１１】
傘の一部の寸法、例えば露先の直径は、傘の製品によって異なることがある。本実施例においては、挿入孔又は挿入凹部を錐台状に形成することによって、種々の露先の直径に対応した位置において、傘付属品を傘に係止させることができる。
【００１２】
本実施例に係る傘付属品は、前記固定部は、軸方向に貫通した前記挿入孔を有する筒状の可撓性部材によって構成されており、前記固定部には、軸方向に延びた複数のスリットが周方向に並設されていることを特徴とする。
【００１３】
本実施例においては、筒状の固定部を軸方向に短縮させて、傘の一部、例えば露先に取り付ける。短縮した場合、固定部の中央部は、径方向外向きに突出するので、傘が視認されやすくなり、他者の傘との識別性及び道路歩行時における安全性を高めることができる。また傘の意匠性を向上させることができる。
【００１４】
本実施例に係る傘付属品は、前記固定部は、前記傘の一部を狭持する狭持部を備えることを特徴とする。
【００１５】
本実施例においては、傘の一部を狭持することによって、露先を取り外すことなく、傘付属品を傘に容易に固定することができ、また傘からの脱落を防ぐことができる。
【００１６】
本実施例に係る傘付属品は、前記狭持部は磁石を含むことを特徴とする。
【００１７】
本実施例においては、磁石を使用して、傘付属品を傘に固定する。例えば、磁力によって傘の親骨に傘付属品を傘に固定する。
【００１８】
本実施例に係る傘付属品は、前記固定部に光源ユニットが取り付けられており、前記光源ユニットは、透光性を有する筐体と、該筐体に収容された光源と、該光源を点灯又は消灯させるスイッチとを有することを特徴とする。
【００１９】
本実施例においては、光源ユニットのスイッチを操作し、光源を点灯させる。光源の点灯によって、傘が認知されやすくなり、他者の傘との識別性及び道路歩行時における安全性を高めることができる。また傘の意匠性を向上させることができる。
【００２０】
本実施例に係る傘付属品は、前記固定部は、透光性を有する環状の筐体と、該筐体内に収容された光源と、該光源を点灯又は消灯させるスイッチとを備えることを特徴とする。
【００２１】
本実施例においては、傘の一部、例えば石突の周囲に、容易に傘付属品を取り付けることができる。また光源の点灯によって、傘が認知されやすくなり、他者の傘との識別性及び道路歩行時における安全性を高めることができる。また傘の意匠性を向上させることができる。
【発明の効果】
【００２２】
本実施例に係る傘付属品にあっては、固定部によって、露先を取り外すことなく、傘付属品を傘に固定する。そのため、傘付属品を傘に容易に固定させることができ、また傘付属品は傘から容易に脱落しない。
【図面の簡単な説明】
【００２３】
【図１】実施の形態１に係る傘付属品を略示する断面図である。
【図２】露先に取り付けた傘付属品を示す側面図である。
【図３】実施の形態２に係る傘付属品を略示する断面図である。
【図４】実施の形態３に係る傘付属品を略示する側面図である。
【図５】図４に示すＶ−Ｖ線を切断線とした断面図である。
【図６】露先に取り付けた傘付属品を略示する側面図である。
【図７】実施の形態４に係る傘付属品を略示する側面図である。
【図８】光源ユニットを略示する傘付属品の部分拡大断面図である。
【図９】実施の形態５に係る傘付属品を略示する側面図である。
【図１０】傘に固定した傘付属品を略示する断面図である。
【図１１】実施の形態６に係る傘付属品を略示する側面図である。
【図１２】実施の形態７に係る傘付属品を略示する縦断面図である。
【図１３】実施の形態８に係る環状の傘付属品を略示する断面図である。
【図１４】実施の形態９に係る環状の傘付属品を略示する断面図である。
【発明を実施するための形態】
【００２４】
（実施の形態１）
以下実施の形態１に係る傘付属品を図面に基づいて説明する。図１は、傘付属品を略示する断面図である。傘付属品は、傘６０の露先６１を覆う球状の固定部１を備える。固定部１は傘６０に固定される。なお固定部１の形状は、球状に限定されず、円柱形状又は直方体形状等、他の形状でもよい。固定部１は、光を反射する反射部材を有し、例えば、アクリル製ビーズ又はアルミ膜等の金属膜を有する。
【００２５】
固定部１には、露先６１を挿入する貫通した挿入孔２が設けられている。挿入孔２は錐台状、例えば円錐台状をなし、第１開口２ａと、該第１開口２ａに対向しており、第１開口２ａよりも小径の第２開口２ｂとを備える。なお挿入孔２は第１開口２ａ及び第２開口２ｂを有していればよく、その形状は、円錐台状に限定されない。例えば、挿入孔２は、角錐台状、紡錘状又は瓶形状に形成されていてもよい。第２開口２ｂの直径は、露先６１の直径と略同じか若干小さく設定されている。
【００２６】
図２は、露先６１に取り付けた傘付属品を示す側面図である。傘付属品を露先６１に取り付ける場合、露先６１を第１開口２ａから挿入孔２に挿入し、第２開口２ｂまで差し込む。第２開口２ｂの縁部分は摩擦によって露先６１に係止し、傘付属品は露先６１に固定される。そのため露先６１を取り外すことなく、傘付属品を傘に固定することができ、露先６１に取り付けられた傘付属品は露先６１から容易に脱落しない。
【００２７】
露先６１の直径は、傘６０の仕様によって異なることがある。実施の形態１においては、挿入孔２を錐台状に形成することによって、直径が異なる複数の露先６１に対しても、それぞれの露先６１に対応した位置において、傘付属品をそれぞれの露先６１に係止させることができる。また挿入孔２が錐台状に形成されているので、挿入孔２は、第１開口２ａから挿入された露先６１を第２開口２ｂまで案内することができる。
【００２８】
（実施の形態２）
以下実施の形態２に係る傘付属品を図面に基づいて説明する。実施の形態２に係る構成の内、実施の形態１と同様な構成については同じ符号を付し、その詳細な説明を省略する。図３は、傘付属品を略示する断面図である。
【００２９】
固定部１には、露先６１を挿入する挿入凹部３が設けられている。挿入凹部３は錐台状、例えば円錐台状をなし、開口３ａと、該開口３ａに対向しており、開口３ａよりも小径の底部分３ｂとを備える。なお挿入凹部３は、開口３ａ及び底部分３ｂを有していればよく、その形状は、円錐台状に限定されない。例えば、挿入凹部３は、角錐台状、紡錘状又は瓶形状に形成されていてもよい。底部分３ｂの直径は、露先６１の直径と略同じか若干小さく設定されている。
【００３０】
傘付属品を露先６１に取り付ける場合、露先６１を開口３ａから挿入凹部３に挿入し、底部分３ｂまで差し込む。底部分３ｂの周面は摩擦によって露先６１に係止し、傘付属品は露先６１に固定される。そのため露先６１に取り付けられた傘付属品は露先６１から容易に脱落しない。
【００３１】
露先６１の直径は、傘６０の仕様によって異なることがあるが、実施の形態２においても、実施の形態１と同様に、挿入凹部３を錐台状に形成することによって、傘付属品を、直径の異なるそれぞれの露先６１に係止させることができ、また挿入凹部３は、開口３ａから挿入された露先６１を底部分３ｂまで案内することができる。
【００３２】
（実施の形態３）
以下実施の形態３に係る傘付属品を図面に基づいて説明する。実施の形態３に係る構成の内、実施の形態１又は２と同様な構成については同じ符号を付し、その詳細な説明を省略する。図４は、傘付属品を略示する側面図、図５は、図４に示すＶ−Ｖ線を切断線とした断面図である。
【００３３】
固定部１０は筒形状、例えば円筒形状をなし、可撓性部材によって構成されている。固定部１０は、軸方向両端部に位置する第１円板１１及び第２円板１２と、該第１円板１１及び第２円板１２を連結する周面部１３とを備える。周面部１３には、軸方向に延びた複数のスリット１４、１４、・・・、１４が周方向に並設されている。
【００３４】
第１円板１１には第１貫通孔１１ａが設けられており、第２円板１２には第２貫通孔１２ａが設けられている。第２貫通孔１２ａは、第１貫通孔１１ａ側の直径が第１貫通孔１１ａの反対側の直径よりも大きい円錐台状をなす。第２貫通孔１２ａの第１貫通孔１１ａ側の直径は、第１貫通孔１１ａの直径と略同じである。なお第１貫通孔１１ａ、第２貫通孔１２ａ及び周面部１３の内側の空間は、挿入孔を構成する。
【００３５】
図６は、露先６１に取り付けた傘付属品を略示する側面図である。傘付属品を露先６１に取り付ける場合、露先６１を第１貫通孔１１ａに挿入し、周面部１３の内側空間を通して、第２貫通孔１２ａまで差し込む。そして第１円板１１及び第２円板１２を近接させて、固定部１０を軸方向に短縮させる。このとき、周面部１３は径方向外側に突出する。第２貫通孔１２ａの内周面が摩擦によって露先６１に係止し、傘付属品は露先６１に固定される。そのため露先６１に取り付けられた傘付属品は露先６１から容易に脱落しない。
【００３６】
露先６１の直径は、傘６０の仕様によって異なることがあるが、実施の形態３においても、実施の形態１又は２と同様に、第２貫通孔１２ａを錐台状に形成することによって、傘付属品を、直径の異なるそれぞれの露先６１に係止させることができる。
【００３７】
固定部１０が短縮した場合、周面部１３は径方向外向きに突出するので、傘６０が視認されやすくなり、他者の傘６０との識別性及び道路歩行時における安全性を高めることができる。また傘６０の意匠性を向上させることができる。
【００３８】
なお固定部１０は角筒状をなしてもよい。この場合、第１円板１１及び第２円板１２に代えて、第１四角板及び第２四角板を固定部１０は備える。
【００３９】
（実施の形態４）
以下実施の形態４に係る傘付属品を図面に基づいて説明する。実施の形態４に係る構成の内、実施の形態１〜３と同様な構成については同じ符号を付し、その詳細な説明を省略する。図７は、傘付属品を略示する側面図、図８は、光源ユニット２０を略示する傘付属品の部分拡大断面図である。
【００４０】
固定部３０は柱状、例えば円柱状をなす。なお固定部３０は多角柱状をなしてもよい。固定部３０の一端部には、軸方向に延びた挿入凹部３が形成されている。挿入凹部３は、実施の形態２と同様な構成を有する。
【００４１】
固定部３０の他端部には、光源ユニット２０が設けられている。光源ユニット２０は、固定部３０の軸方向に延びた筐体２１と、該筐体２１内に設けられた基板２２と、該基板２２に実装された光源、例えば発光ダイオード２３と、前記基板２２に実装されたスイッチ２４及び電池２５とを備える。なお発光ダイオード２３は、光源の一例であり、発光ダイオード２３に代えて、ハロゲンランプ又は白熱ランプ等を使用してもよい。
【００４２】
筐体２１は透光性を有する部材によって構成されており、例えば透光性を有するプラスチック部材又は強化ガラス部材等によって構成されている。筐体２１には貫通孔２１ａが設けられている。筐体２１の色は、透明である限り、特に限定されず、赤色、青色、黄色等の着色がなされていてもよいし、無色透明であってもよい。
【００４３】
スイッチ２４はプッシュ式スイッチであり、その一部が貫通孔２１ａから外側に突出している。スイッチ２４と貫通孔２１ａとの間には、シール部材２６が設けられている。シール部材２６は、スイッチ２４と貫通孔２１ａとの間の隙間を水密に封止している。
【００４４】
発光ダイオード２３は筐体２１の端部に対向している。例えば、発光ダイオード２３が消灯した状態で、スイッチ２４を押した場合、発光ダイオード２３は連続点灯する。更にスイッチ２４を押した場合、発光ダイオード２３は点滅する。更にスイッチ２４を押した場合、発光ダイオード２３は消灯する。なお発光ダイオード２３が消灯した状態で、スイッチ２４を押した場合、発光ダイオード２３は連続点灯し、更にスイッチ２４を押した場合、発光ダイオード２３は消灯するように構成してもよい。
【００４５】
傘付属品を露先６１に取り付ける場合、露先６１を開口３ａから挿入凹部３に挿入し、底部分３ｂまで差し込む。底部分３ｂの周面は摩擦によって露先６１に係止し、傘付属品は露先６１に固定される。
【００４６】
ユーザは、必要に応じて、スイッチ２４を操作し、発光ダイオード２３を、連続点灯、点滅又は消灯させることができる。発光ダイオード２３の点灯によって、傘６０が認知されやすくなり、他者の傘６０との識別性及び道路歩行時における安全性を高めることができる。また発光ダイオード２３の点滅によって、他者の傘６０との識別性及び道路歩行時における安全性を更に高めることができる。また傘６０の意匠性を向上させることができる。
【００４７】
なお筐体２１の形状は、光源を収容し且つスイッチ２４が突出している限りにおいて、特に限定されない。例えば、パトカー等の緊急車両が有する警告灯を模した形状であってもよい。また電池２５を取り外し可能に構成し、筐体２１の電池２５側部分を開閉可能な蓋にしてもよい。この場合、蓋を開けて電池２５を交換することができる。
【００４８】
実施の形態４において、固定部３０の他端部に光源ユニット２０を設けているが、固定部３０の側面部に光源ユニット２０を設けてもよい。この場合、挿入凹部３に代えて、実施の形態１と同様に、軸方向に貫通した挿入孔２を固定部３０に設けてもよい。上述した実施の形態１〜４において、露先６１以外の傘の部分、例えば、石突に傘付属品を係止させてもよい。
【００４９】
（実施の形態５）
以下実施の形態５に係る傘付属品を図面に基づいて説明する。実施の形態５に係る構成の内、実施の形態１〜４と同様な構成については同じ符号を付し、その詳細な説明を省略する。図９は、傘付属品を略示する側面図である。傘付属品は、傘６０に固定される固定ベルト４０を備える。固定ベルト４０は、折り曲げ可能且つ切断可能な薄いゴム部材又は合成樹脂部材等によって構成されている。
【００５０】
固定ベルト４０には、二つの磁石４１、４１が並設されている。磁石４１は、磁力の強い磁石、例えばネオジム磁石によって構成されている。固定ベルト４０には、光源ユニット２０が設けられている。なお固定ベルト４０及び磁石４１によって、固定部及び狭持部が構成されている。
【００５１】
図１０は、傘に固定した傘付属品を略示する断面図である。なお傘６０は、複数の親骨６２を有しており、親骨６２には傘カバー６３が設けられている。親骨６２は、鉄等の磁性体によって構成されている。
【００５２】
例えば、図１０Ａに示すように、親骨６２の先端部付近において、光源ユニット２０を傘カバー６３の上側に位置させ、光源ユニット２０側に位置する一方の磁石４１を、傘カバー６３を介して親骨６２に磁力によって固定させる。
【００５３】
そして、他方の磁石４１を一方の磁石に対向するように、親骨６２に磁力によって固定させる。二つの磁石４１は親骨６２及び傘カバー６３を狭持し、傘付属品が傘６０に固定される。なお磁石４１の数は単数又は３つ以上でもよい。また親骨６２から離れた位置にて、傘カバー６０を二つの磁石４１によって狭持し、傘付属品を傘に固定させてもよい。
【００５４】
例えば、図１０Ｂに示すように、固定ベルト４０を二つの磁石４１の間で切断し、傘カバー６３を二つの磁石４１によって狭持し、傘付属品を傘に固定させてもよい。二つの磁石４１を分離させることによって、傘付属品の固定位置の自由度が大きくなる。なお分離した二つの磁石４１によって親骨６２を狭持し、傘付属品を傘に固定させてもよい。また二つの磁石４１の間において、分離の為のミシン目を固定ベルト４０に形成してもよい。
【００５５】
上述した固定位置は例示に過ぎず、他の部分に傘付属品を固定させてもよい。例えば、傘の中棒又は受骨に固定させてもよい。また固定ベルトを傘の手元に巻き付けて、二つの磁石４１を結合させて、傘付属品を傘に固定してもよい。
【００５６】
実施の形態５にあっては、磁石を使用して、傘６０の一部を狭持することによって、露先を取り外すことなく、傘付属品を傘６０に容易に固定することができ、また傘６０からの脱落を防ぐことができる。
【００５７】
（実施の形態６）
以下実施の形態６に係る傘付属品を図面に基づいて説明する。実施の形態６に係る構成の内、実施の形態１〜５と同様な構成については同じ符号を付し、その詳細な説明を省略する。図１１は、傘付属品を略示する側面図である。傘付属品は、傘６０に固定されるピンチ４２（固定部、狭持部）を備える。ピンチ４２には、光源ユニット２０が設けられている。
【００５８】
傘６０の一部、例えば露先６１、親骨６２、傘カバー６３、中棒、手元又は石突等をピンチ４２が狭持することによって、露先を取り外すことなく、傘付属品を傘６０に容易に固定することができ、また傘からの脱落を防ぐことができる。なおピンチ４２に代えて、他の狭持部、例えばクリップを使用してもよい。
【００５９】
（実施の形態７）
以下実施の形態７に係る傘付属品を図面に基づいて説明する。図１２は、傘付属品を略示する縦断面図である。傘付属品は、傘の一部、例えば石突を挿入する挿入部５１（固定部）と、光源を収容する収容部５２（筐体）とを備える。挿入部５１は円錐台状をなし、その底面には石突を挿入する有底円筒状の挿入凹部５１ａが形成されている。挿入凹部５１ａは、その底部分５１ｃが挿入部５１の頂上側に配置され、底部分５１ｃの直径が底部分５１ｃの反対側における開口５１ｂの直径よりも小さくなるように、円錐台状に形成されている。
【００６０】
収容部５２は球状をなし、挿入部５１の頂上側に設けられている。収容部５２の内部に一又は複数の光源、例えば発光ダイオード２８を収容する収容室５２ａが形成されている。収容部５２には、収容室５２ａ及び外部とを連通させる貫通孔５２ｂが形成されている。収容室５２ａには基板２７、発光ダイオード２８及びプッシュスイッチ２９が収容されている。発光ダイオード２８は、挿入部５１の径方向において、外向きに出光するように、基板２７に取り付けられている。
【００６１】
プッシュスイッチ２９は貫通孔５２ｂを通って、収容部５２の外側に突出している。プッシュスイッチ２９を押すことによって、発光ダイオード２８は点灯、点滅又は消灯する。貫通孔５２ｂの周面とプッシュスイッチ２９との間にはシール部材５２ｃが設けられている。シール部材５２ｃは、プッシュスイッチ２９と貫通孔５２ｂとの間の隙間を水密に封止している。なお露先等、石突以外の傘の一部を挿入凹部５１ａに挿入してもよい。
【００６２】
（実施の形態８）
以下実施の形態８に係る傘付属品を図面に基づいて説明する。図１３は、環状の傘付属品を略示する縦断面図である。
【００６３】
図１３に示すように、傘付属品は例えば、透光性を有する環状の筐体７０を備える。筐体７０の内部には環状の収容室７１が形成されている。収容室７１には基板７３と、一又は複数の発光ダイオード７４が設けられている。筐体７０の外周面にはスイッチ７５が設けられており、スイッチ７５の操作によって、発光ダイオード７４は点灯、点滅又は消灯する。
【００６４】
筐体７０の貫通孔７０ａの周面には弾性部材７２が設けられている。貫通孔７０ａに傘の一部、例えば石突が挿入された場合、弾性部材７２は石突に押されて縮み、弾性部材７２の弾性復元力によって傘付属品は石突に保持される。
【００６５】
なお弾性部材７２を設けなくてもよい。また貫通孔７０ａを、大径開口及び小径開口を有する円錐台状に形成してもよい。例えば小径開口の直径は石突の直径と略同じである。貫通孔７０ａの大径開口から小径開口に石突を挿入し、傘付属品を石突に保持させてもよい。また円錐台状に形成した貫通孔７０ａに弾性部材７２を設けてもよい。露先等、石突以外の傘の一部を挿入凹部５１ａに挿入してもよい。
【００６６】
（実施の形態９）
以下実施の形態９に係る傘付属品を図面に基づいて説明する。図１４は、環状の傘付属品を略示する横断面図である。図１４に示すように、傘付属品は例えば、透光性及び可撓性を有する環状の収容帯８０（筐体）を備える。収容帯８０の内部に収容室８１が形成されている。収容帯８０の両端部それぞれに面ファスナ８５が設けられており、各面ファスナ８５を互いに接合させることによって、収容帯８０は環状に形成されている。
【００６７】
収容室８１には、基板８２、発光ダイオード８３及びプッシュスイッチ８４が収容されている。なお収容室８１に、基板８２、発光ダイオード８３及びプッシュスイッチ８４を含む複数の光源ユニットを収容してもよい。プッシュスイッチ８４の操作によって、発光ダイオード７４は点灯、点滅又は消灯する。収容帯８０は可撓性を有するので、収容帯８０を介してプッシュスイッチ８４を押すことができる。
【００６８】
面ファスナ８５の接合によって、傘付属品を傘の一部、例えば石突に対して、容易に巻き付けるようにして取り付けることができ、また面ファスナ８５の接合を解除することによって容易に取り外すことができる。なお面ファスナ８５は傘への取付部材の一例であり、面ファスナ８５に代えて、他の取付部材、例えば収容帯８０の両端部それぞれにボタン及びボタンを挿入する孔を設けてもよいし、孔及び該孔に掛止するフックを設けてもよい。
【００６９】
傘付属品が環状をなすので、傘の一部、例えば石突の周囲に、容易に傘付属品を取り付けることができる。また発光ダイオード７４、８３の点灯によって、傘が認知されやすくなり、他者の傘との識別性及び道路歩行時における安全性を高めることができる。また傘の意匠性を向上させることができる。
【００７０】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００７１】
１、１０、３０  固定部
２  挿入孔
２ａ  第１開口
２ｂ  第２開口
３  挿入凹部
３ａ  開口
３ｂ  底部分
１３  周面部
１４  スリット
２０  光源ユニット
２１  筐体
２３、２８、７４、８３  発光ダイオード（光源）
２４  スイッチ
４０  固定ベルト
４１  磁石
４２  ピンチ（固定部、狭持部）
５１  挿入部（固定部）
５２  収容部
７０  筐体
７５  スイッチ
８０  収容帯
【図１】
2017109086.tif 000003
【図２】
2017109086.tif 000004
【図３】
2017109086.tif 000005
【図４】
2017109086.tif 000006
【図５】
2017109086.tif 000007
【図６】
2017109086.tif 000008
【図７】
2017109086.tif 000009
【図８】
2017109086.tif 000010
【図９】
2017109086.tif 000011
【図１０】
2017109086.tif 000012
【図１１】
2017109086.tif 000013
【図１２】
2017109086.tif 000014
【図１３】
2017109086.tif 000015
【図１４】
2017109086.tif 000016